(57)【要約】  セルラー無線通信システムにおいて、電力制御に従わないトラフィックチャネルにおいて送信された情報を受信するセルを選択する。選択には、複数の各候補セルに対して、候補セルに関連するトラフィックチャネルにおいて送信された信号の電力を示す品質値を判断するために、パイロットチャネル送信電力と候補セルに関連するトラフィックチャネル送信信号電力との間の関係を示すオフセット値を使用するステップおよびトラフィックチャネルにおいて送信された信号の電力を示す品質値に基づいて、複数の候補セルからＮ個のセルを選択するステップを含む。
2008536416.tif 000002
【特許請求の範囲】
【請求項１】
セルラー無線通信システムにおいて、電力制御の対象ではないトラフィックチャネルに送信される情報を受信する１以上のセルを選択する方法であって、
複数の候補セルの各々について、候補セルに関連するトラフィックチャネルにおいて送信される信号の電力を示す品質値を決定するために、候補セルに関連するパイロットチャネル送信電力とトラフィックチャネル送信電力との間の関係を示すオフセット値を使用するステップと、
トラフィックチャネルにおいて送信される信号の電力を示す前記品質値に基づいて、前記複数の候補セルからＮ個のセルを選択するステップと、
を備えることを特徴とする方法。
【請求項２】
前記オフセット値は、利得オフセット値であることを特徴とする請求項１に記載の方法。
【請求項３】
前記オフセット値は、電力オフセット値であることを特徴とする請求項１に記載の方法。
【請求項４】
前記複数の候補セルの各々について、前記パイロットチャネルに送信される信号の電力の品質指標を測定するステップを備えることを特徴とする請求項１に記載の方法。
【請求項５】
前記パイロットチャネルに送信される信号の電力の前記品質指標は、前記パイロットチャネルのチャネル推定値であることを特徴とする請求項４に記載の方法。
【請求項６】
前記パイロットチャネルに送信される信号の電力の前記品質指標は、前記パイロットチャネルに送信される信号の遅延プロファイルを推定することにより導出される電力評価値であることを特徴とする請求項４に記載の方法。
【請求項７】
前記パイロットチャネルに送信される信号の電力の前記品質指標は、前記パイロットチャネルに送信される信号の信号対干渉比であることを特徴とする請求項４に記載の方法。
【請求項８】
候補セルに関連するトラフィックチャネルにおいて送信される信号の電力を示す品質値を決定するために、オフセット値を使用する前記ステップは、
トラフィックチャネルにおいて送信される信号の電力を示す品質値を導出するために、オフセット値および測定された前記パイロットチャネルに送信される信号の電力の品質指標を使用するステップを備えることを特徴とする請求項４に記載の方法。
【請求項９】
前記複数の候補セルの各々について、前記パイロットチャネルを推定し前記トラフィックチャネルを推定することにより、前記オフセット値を決定するステップを備えることを特徴とする請求項１に記載の方法。
【請求項１０】
前記候補セルのうちの少なくとも１つのセルに対して、前記セルの１つのセルにより送信される信号のオフセット値を受信するステップを備えることを特徴とする請求項１に記載の方法。
【請求項１１】
トラフィックチャネルにおいて送信される信号の電力を示す前記品質値に基づいて、前記複数の候補セルからＮ個のセルを選択する前記ステップは、
トラフィックチャネルにおいて送信された受信信号がトラフィックチャネルにおいて送信された他のセルの信号とＲＡＫＥ合成し得るセルに、高い優先度を割り当てるステップと、
トラフィックチャネルにおいて送信された受信信号がトラフィックチャネルにおいて送信された他のセルの信号とＲＡＫＥ合成されるべきで無く、トラフィックチャネルにおいて送信された他のセルの信号とＳＯＦＴ合成され得るセルに、中間の優先度を割り当てるステップと、
トラフィックチャネルにおいて送信された受信信号がトラフィックチャネルにおいて送信された他のセルの信号とＲＡＫＥ合成もＳＯＦＴ合成もされるべきで無いセルに、低い優先度を割り当てるステップと、
トラフィックチャネルにおいて送信される信号の電力を示す前記品質値およびセルに割り当てられた優先度に基づいて、前記複数の候補セルからＮ個のセルを選択するステップと、
を備えることを特徴とする請求項１に記載の方法。
【請求項１２】
トラフィックチャネルにおいて送信された受信信号がトラフィックチャネルにおいて送信された他のセルの信号とＲＡＫＥ合成し得るセルに、高い優先度を割り当てる前記ステップは、
セルのトラフィックチャネルにおいて送信された信号の電力を示す品質値を調整するステップを備えることを特徴とする請求項１１に記載の方法。
【請求項１３】
トラフィックチャネルにおいて送信された受信信号がトラフィックチャネルにおいて送信された他のセルの信号とＲＡＫＥ合成もＳＯＦＴ合成もされるべきで無いセルに、低い優先度を割り当てる前記ステップは、
セルのトラフィックチャネルにおいて送信された信号の電力を示す品質値を調整するステップを備えることを特徴とする請求項１１に記載の方法。
【請求項１４】
セルラー無線通信システムにおいて、電力制御の対象ではないトラフィックチャネルに送信される情報を受信する１以上のセルを選択する装置であって、
複数の候補セルの各々について、候補セルに関連するトラフィックチャネルにおいて送信される信号の電力を示す品質値を決定するために、候補セルに関連するパイロットチャネル送信電力とトラフィックチャネル送信電力との間の関係を示すオフセット値を使用するよう構成されたロジックと、
トラフィックチャネルにおいて送信される信号の電力を示す前記品質値に基づいて、前記複数の候補セルからＮ個のセルを選択するよう構成されたロジックと、
を備えることを特徴とする装置。
【請求項１５】
前記オフセット値は、利得オフセット値であることを特徴とする請求項１４に記載の装置。
【請求項１６】
前記オフセット値は、電力オフセット値であることを特徴とする請求項１４に記載の装置。
【請求項１７】
前記複数の候補セルの各々について、前記パイロットチャネルに送信される信号の電力の品質指標を測定するよう構成されたロジックを備えることを特徴とする請求項１４に記載の装置。
【請求項１８】
前記パイロットチャネルに送信される信号の電力の前記品質指標は、前記パイロットチャネルのチャネル推定値であることを特徴とする請求項１７に記載の装置。
【請求項１９】
前記パイロットチャネルに送信される信号の電力の前記品質指標は、前記パイロットチャネルに送信される信号の遅延プロファイルを推定するよう構成されたロジックの出力より導出される電力評価値であることを特徴とする請求項１７に記載の装置。
【請求項２０】
前記パイロットチャネルに送信される信号の電力の前記品質指標は、前記パイロットチャネルに送信される信号の信号対干渉比であることを特徴とする請求項１７に記載の装置。
【請求項２１】
候補セルに関連するトラフィックチャネルにおいて送信される信号の電力を示す品質値を決定するために、オフセット値を使用するよう構成された前記ロジックは、
トラフィックチャネルにおいて送信される信号の電力を示す品質値を導出するために、オフセット値および測定された前記パイロットチャネルに送信される信号の電力の品質指標を使用するよう構成されたロジックを備えることを特徴とする請求項１７に記載の装置。
【請求項２２】
前記複数の候補セルの各々について、前記パイロットチャネルを推定し前記トラフィックチャネルを推定することにより、前記オフセット値を決定するよう構成されたロジックを備えることを特徴とする請求項１４に記載の装置。
【請求項２３】
前記候補セルのうちの少なくとも１つのセルに対して、前記セルの１つのセルにより送信される信号のオフセット値を受信するよう構成されたロジックを備えることを特徴とする請求項１４に記載の装置。
【請求項２４】
トラフィックチャネルにおいて送信される信号の電力を示す前記品質値に基づいて、前記複数の候補セルからＮ個のセルを選択するよう構成された前記ロジックは、
トラフィックチャネルにおいて送信された受信信号がトラフィックチャネルにおいて送信された他のセルの信号とＲＡＫＥ合成し得るセルに、高い優先度を割り当てるよう構成されたロジックと、
トラフィックチャネルにおいて送信された受信信号がトラフィックチャネルにおいて送信された他のセルの信号とＲＡＫＥ合成されるべきで無く、トラフィックチャネルにおいて送信された他のセルの信号とＳＯＦＴ合成され得るセルに、中間の優先度を割り当てるよう構成されたロジックと、
トラフィックチャネルにおいて送信された受信信号がトラフィックチャネルにおいて送信された他のセルの信号とＲＡＫＥ合成もＳＯＦＴ合成もされるべきで無いセルに、低い優先度を割り当てるよう構成されたロジックと、
トラフィックチャネルにおいて送信される信号の電力を示す前記品質値およびセルに割り当てられた優先度に基づいて、前記複数の候補セルからＮ個のセルを選択するよう構成されたロジックと、
を備えることを特徴とする請求項１４に記載の装置。
【請求項２５】
トラフィックチャネルにおいて送信された受信信号がトラフィックチャネルにおいて送信された他のセルの信号とＲＡＫＥ合成し得るセルに、高い優先度を割り当てるよう構成された前記ロジックは、
セルのトラフィックチャネルにおいて送信された信号の電力を示す品質値を調整するよう構成されたロジックを備えることを特徴とする請求項２４に記載の装置。
【請求項２６】
トラフィックチャネルにおいて送信された受信信号がトラフィックチャネルにおいて送信された他のセルの信号とＲＡＫＥ合成もＳＯＦＴ合成もされるべきで無いセルに、低い優先度を割り当てるよう構成された前記ロジックは、
セルのトラフィックチャネルにおいて送信された信号の電力を示す品質値を調整するよう構成されたロジックを備えることを特徴とする請求項２４に記載の装置。
【発明の詳細な説明】
【技術分野】
【０００１】
本発明は、通信デバイス、特に異なる送信機から送信された同一情報の複数のレプリカを受信する通信デバイスに関するものである。
【背景技術】
【０００２】
デジタル通信システムには、ＧＳＭ通信規格およびそれを高度化したＧＳＭ／ＥＤＧＥに従うセルラー無線電話システムなどの時分割多元接続（ＴＤＭＡ）システム、および、ＩＳ−９５、ｃｄｍａ２０００および広帯域ＣＤＭＡ（ＷＣＤＭＡ）通信規格に従うセルラー無線電話システムなどの符号分割多元接続（ＣＤＭＡ）システムが含まれる。また、デジタル通信システムには、ユニバーサル移動通信システム（ＵＭＴＳ）規格に従うセルラー無線電話システムなどのＴＤＭＡおよびＣＤＭＡの”混合”システムを含まれ、ＵＭＴＳは国際電気通信連合（ＩＴＵ）のＩＭＴ−２０００フレームワークの中において欧州通信標準化機構（ＥＴＳＩ）により開発が進められる第３世代（３Ｇ）移動システムを規格化する。第３世代パートナーシッププロジェクト（３ＧＰＰ）はＵＭＴＳ規格を普及させる。本願は説明の都合上ＷＣＤＭＡシステムに焦点を当てるが、本願に記載する原理は他のデジタル通信システムにおいて実施することができることは理解されるであろう。
【０００３】
ＷＣＤＭＡは、ダイレクトシーケンス・スペクトル拡散技術に基づき、ダウンリンク方向（基地局からユーザ装置）において、基地局と物理チャネル（ユーザ装置またはユーザ）をそれぞれ分離する擬似雑音スクランブル符号および直交チャネライゼーション符号を有する。ユーザ装置（ＵＥ）は、例えばそれぞれの専用物理チャネル（ＤＰＣＨ）を介してシステムと通信する。ＷＣＤＭＡの用語をここでは使用するが、他のシステムには対応する用語があることは理解されるであろう。スクランブルおよびチャネライゼーション符号および送信電力制御は当技術において良く知られる。
【０００４】
図１は、移動無線セルラー通信システム１００を示し、このシステムは、例えばＣＤＭＡまたはＷＣＤＭＡ通信システムでありうる。無線ネットワークコントローラ（ＲＮＣ）１１２、１１４は、種々の無線ネットワーク機能を制御し、この機能には例えば無線アクセスベアラ設定、ダイバーシティハンドオーバおよび同類のものを含む。さらに一般的には、各ＲＮＣは対応する１以上の基地局（ＢＳ）を介したＵＥの呼を制御し、ＵＥはダウンリンク（ＢＳからＵＥ、フォワードリンク）およびアップリンク（ＵＥからＢＳ、リバースリンク）チャネルを通じて互いに通信する。ＲＮＣ１１２をＢＳ１１６、１１８、１２０に接続するように示し、ＲＮＣ１１４をＢＳ１２２、１２４、１２６に接続するように示す。各ＢＳは、１以上のセルに分割可能な地理的エリアにサービスを提供する。ＢＳ１２６を、ＢＳ１２６のセルを構成可能な５つのアンテナセクタであるＳ１からＳ５を有するように示す。ＢＳは、専用電話回線、光ファイバリンク、マイクロ波リンクおよび同類により対応するＲＮＣに接続する。ＲＮＣ１１２、１１４の双方は、移動交換センタ（図示せず）および／またはパケット無線サービスノード（図示せず）のような１以上のコアネットワークノードを介して公衆交換電話ネットワーク（ＰＳＴＮ）、インターネットおよび同類などの外部ネットワークと接続する。図１で、ＵＥ１２８、１３０が複数の基地局と通信するところを示し、ＵＥ１２８はＢＳ１１６、１１８、１２０と通信し、ＵＥ１３０はＢＳ１２０、１２２と通信する。ＲＮＣ１１２と１１４との間の制御リンクはＢＳ１２０、１２２を介するＵＥ１３０へ／からのダイバーシティ通信を許容する。
【０００５】
ＵＥでは、受信機宛に想定されたオリジナルの情報データストリームの推定を提供するため、変調されたキャリア信号（レイヤ１）を処理する。混合受信ベースバンド拡散信号は一般的に幾つかの”フィンガー”または逆拡散器を含むＲＡＫＥプロセッサに供給され、フィンガーには異なる基地局からの受信信号におけるマルチパスエコーまたはストリームなどに対応する選択要素が割り当てられる。各フィンガーは、受信要素をスクランブルシーケンスおよび適するチャネライゼーション符号と合成し、受信混合信号の要素を逆拡散する。ＲＡＫＥプロセッサは典型的に混合信号に含まれる送信された情報データおよびパイロットまたはトレーニングシンボルの双方を逆拡散する。
【０００６】
図２は、ＷＣＤＭＡ通信システムにおけるＵＥなどの受信機２００のブロック図であり、受信機２００はアンテナ２０２を通じて無線信号を受信し、フロントエンド受信機（ＦｅＲＸ）２０４において受信信号をダウンコンバートし、サンプリングする。出力サンプルは、ＦｅＲＸ２０４からＲＡＫＥ合成器およびチャネル推定器２０６へ供給され、パイロットチャネルを含む受信データを逆拡散し、無線チャネルのインパルス応答を推定し、受信データの受信エコーと制御シンボルを逆拡散し合成する。合成／推定器２０６の出力は、情報を生成するシンボル検出器２０８に供給され、情報を個々の通信システムに適するようにさらに処理する。ＲＡＫＥ合成およびチャネル推定は当技術では良く知られる。
【０００７】
ＷＣＤＭＡシステムの周波数分割多重（ＦＤＤ）態様のためのマルチメディア・ブロードキャスト／マルチキャスト・サービス（ＭＢＭＳ）は３ＧＰＰにより標準化の過程にある。ＭＢＭＳは、３ＧＰＰの”Technical Specification TS 23.246 ver. 6.2.0 Technical Specification Group Services and System Aspects; Multimedia Broadcast/Multicast Service (MBMS); Architecture and functional description (Release 6) (Apr. 2003)”および”Technical Report TR 23.846 ver. 6.1.0 Technical Specification Group Services and System Aspects; Multimedia Broadcast/Multicast Service (MBMS); Architecture and functional description (Release 6) (Dec. 2002)”に記載されている。
【０００８】
ＭＢＭＳは、移動局（ＵＥ）への高速、高品質なブロードキャストまたはマルチキャスト伝送を提供するために考えられている。例えば、ＭＢＭＳは端末ユーザに鑑賞する映画の選択を提供することができる。ブロードキャストおよびマルチキャストはポイント・ツー・マルチポイント（１対多）通信の同義語であり、ポイント・ツー・マルチポイント通信では１つの送信元から複数の送信先へデータパケットを同時に送信する。用語”ブロードキャスト”は全てのユーザにコンテンツを配信する能力を意味し、用語”マルチキャスト”は個々のマルチキャストグループに加入したユーザにだけ配信するサービスを意味する。
【０００９】
”M. Bakhuizen and U. Horn, "Mobile broadcast/multicast in mobile networks," Ericsson Review, Issue 1 (2005)”では、ＭＢＭＳの概観を説明している。そこには、例えばＷＣＤＭＡにおいて、最大限に拡張する場合に、ＭＢＭＳが既存の論理および物理チャネルを再利用する方法が記載されている。特に、ＷＣＤＭＡにおける実装には、３つの新規論理チャネルおよび１つの新規物理チャネルのみが必要である。新規論理チャネルは以下の通りである。
【００１０】
・ＭＢＭＳポイント・ツー・マルチポイント・制御チャネル（ＭＣＣＨ）：通信中および次のＭＢＭＳセッションに関する詳細（例えば、拡散率）を含み、４８０ミリ秒または１．２８秒の周期内で繰り返し送信する。
【００１１】
・ＭＢＭＳポイント・ツー・マルチポイント・スケジューリングチャネル（ＭＳＣＨ）：ＭＴＣＨにおいてスケジュールされたデータに関する情報（例えば、プログラムガイド）を提供する。
【００１２】
・ＭＢＭＳポイント・ツー・マルチポイント・トラフィックチャネル（ＭＴＣＨ）：実際のＭＢＭＳアプリケーションデータ（例えば、映画のコンテンツ）を搬送する。
【００１３】
新規物理チャネルはＭＢＭＳ通知指示チャネル（ＭＩＣＨ）であり、これによりネットワークはＭＣＣＨに関する利用可能なＭＢＭＳ情報をＵＥに通知する。ＭＣＣＨ、ＭＳＣＨおよびＭＴＣＨは、ＷＣＤＭＡにおけるフォワード・アクセス・チャネル（ＦＡＣＨ）伝送および２次共通制御物理チャネル（Ｓ−ＣＣＰＣＨ）を再利用する。無線リンク制御（ＲＬＣ）およびメディアアクセス制御（ＭＡＣ）レイヤは既存プロトコルスタックの多くを再利用する。
【００１４】
ＭＢＭＳはブロードキャストサービスであるので、同じ物理チャネルが複数のＵＥ（例えば、移動ハンドセットまたはその他の移動装置）により同時に受信されうる。従って、ＭＢＭＳは電力制御の対象にはならない。電力制御がないため、サービス品質を保証するための他の方法を見つける必要がある。そのため、ＭＢＭＳ伝送品質およびビット速度を向上させるために、３ＧＰＰでは、インターリーブ・ゲインを得るために深いインターリーブ、即ち長い送信時間間隔（ＴＴＩ）（各ＴＴＩは１つの伝送ブロックを含み３スロットの長さを有する）を使用することが合意された。また、レイヤ１でのマルチキャストの使用が合意され、即ちＵＥは、３ＧＰＰ用語でのノードＢである異なる基地局から同一のビットストリームの複数のレプリカを受信することができるべきであることが合意されている。特に、幾つかのクラスタが同じ情報を送信して、空間ダイバシティを得ることが提案されている。本明細書で使用するように、用語”クラスタ”は時間軸に沿った幾つかの無線リンク（幾つかのセル）を意味する。クラスタの伝送タイミングは、情報の受信を改善するための、送信データの合成方法を決定する。３つの異なる合成方法が可能である。
【００１５】
１）ＲＡＫＥ合成(RAKE combining)：全てのクラスタの送信が、互いの所定の時間間隔（例えば２９６チップ）内にある場合、（ＤＰＣＨに対してと同様に）ＲＡＫＥ合成を実行することができる。
【００１６】
２）ＳＯＦＴ合成(Soft combining)：全クラスタの送信が、ＴＴＩの継続時間＋１スロットの継続時間（本明細書では”ＴＴＩ＋１スロット”と表す）として計測する時間スパン内に生じる場合、ＳＯＦＴバッファを維持すべきであり、ＳＯＦＴバッファにおいて合成器出力シンボルを各クラスタに加える。ＳＯＦＴ合成は当技術において良く知られ、ＷＣＤＭＡ通信システムの発展形である高速ダウンリンク・パケット・アクセス（ＨＳＤＰＡ）では、ある種のターボ復号化器およびハイブリッド自動再送要求（ＨＡＲＱ）により使用される。
【００１７】
３）選択合成(Selection combining)：クラスタの送信が、別のクラスタの送信からＴＴＩ＋１スロットより長く時間をずらして割り当てられると、その場合各クラスタの送信された伝送ブロックの完全復号化を行い、次いで例えば復号された伝送ブロックが巡回冗長検査（ＣＲＣ）を合格するか否かに基づき、復号された伝送ブロックの１つを選択する。選択合成は当技術において良く知られている。
【００１８】
最大３クラスタからの受信をサポートする。これは、ＭＴＣＨデータ（マルチ符号ではない）を受信するため最大３つのＳ−ＣＣＰＣＨをサポートすることを意味する。クラスタの１つはＭＢＭＳの伝送を制御するセルを含む。このセルを制御セルと呼び、ＭＴＣＨを送信する他のセルを隣接セルと呼ぶ。ＦＡＣＨまたは専用チャネル（ＤＣＨ）はＭＴＣＨと同時に送信することができる。
【００１９】
ＵＥでは、送信されたデータを復調するのに割り当てることができる逆拡散器の数に通常制限がある。ＵＥが複数のクラスタから受信すると仮定する場合、全クラスタに含まれるセルの総数は、ＵＥで利用可能な逆拡散器の数より大きいことがありえよう。それ故、ＵＥは使用する最良のセルを選択する必要がある。ＭＴＣＨを合成するセルをＵＥにシグナリングせず、むしろ、使用するセルを決めるのはＵＥである。
【００２０】
米国特許出願公開２００４／００８１１２５Ａ１は共通パイロットチャネル（ＣＰＩＣＨ）、好ましくは１次−ＣＰＩＣＨ（Ｐ−ＣＰＩＣＨ）におけるパイロット信号の比較に基づく選択ダイバシティ方式を開示する。とはいえ、ＣＰＩＣＨにおける送信信号電力は、ＭＢＭＳアプリケーションデータを実際に伝送しているＭＴＣＨにおける送信信号の電力の良好な指示情報ではありえない。この１つの理由は、例えばＳ−ＣＣＰＣＨでは電力制御を使用しないからである。
【発明の開示】
【発明が解決しようとする課題】
【００２１】
従って、ＭＢＭＳアプリケーションデータを受信する場合の、使用するセルを選択するメカニズムを提供することが望まれる。
【課題を解決するための手段】
【００２２】
セルラー無線通信システムにおける電力制御に従わないトラフィックチャネルにおいて送信された情報を受信する１以上のセルを選択する方法および装置を記載する。ある態様では、選択には、複数の候補セルのそれぞれに対して、候補セルに関連するトラフィックチャネルにおける送信信号電力を示す品質値を判断するために、パイロットチャネル送信電力と候補セルに関連するトラフィックチャネル送信電力との間の関係を示すオフセット値を使用するステップを含む。トラフィックチャネルにおける送信信号電力を示す品質値に基づいて、複数の候補セルからＮ個のセルを選択する。
【００２３】
幾つかの実施形態では、オフセット値は利得オフセット値である。代替実施形態では、オフセット値は電力オフセット値である。
【００２４】
別の態様では、複数の候補セルのそれぞれに対して、パイロットチャネルにおいて送信される信号の電力を示す品質を計測する。幾つかの実施形態では、パイロットチャネルにおいて送信される信号の電力を示す品質はパイロットチャネルのチャネル推定である。代替実施形態では、パイロットチャネルにおいて送信される信号の電力を示す品質は、パイロットチャネルにおける送信信号の遅延プロファイルを推定するステップから導出する電力推定である。さらに他の代替実施形態では、パイロットチャネルにおいて送信される信号の電力を示す品質は、パイロットチャネルにおける送信信号の信号対干渉比である。
【００２５】
なお別の態様では、候補セルに関連するトラフィックチャネルにおいて送信された信号の電力を示す品質値を判断するためにオフセット値を使用するステップには、トラフィックチャネルにおいて送信された信号の電力を示す品質値を導出するために、オフセット値およびパイロットチャネルにおいて送信された信号の電力を示す計測品質を使用するステップを含む。
【００２６】
さらに別の態様では、候補セルのそれぞれに対して、オフセット値を、パイロットチャネルを推定しトラフィックチャネルを推定するステップにより決定する。
【００２７】
幾つかの代替実施形態では、候補セルの少なくとも１つのセルに対して、オフセット値は、セルの１つにより送信される信号により受信される。
【００２８】
なお別の態様では、トラフィックチャネルにおいて送信された信号の電力を示す品質値に基づき、複数の候補セルからＮ個のセルを選択するステップは、トラフィックチャネルにおいて送信された受信信号がトラフィックチャネルにおいて送信された他のセルの信号とＲＡＫＥ合成しうるセルに、より高い優先度を割り当てるステップ；トラフィックチャネルにおいて送信された受信信号がトラフィックチャネルにおいて送信された他のセルの信号とＲＡＫＥ合成されること無く、トラフィックチャネルにおいて送信された受信信号がトラフィックチャネルにおいて送信された他のセルの信号とＳＯＦＴ合成しうるセルに中間の優先度を割り当てるステップ；トラフィックチャネルにおいて送信された受信信号がトラフィックチャネルにおいて送信された他のセルの信号とＲＡＫＥ合成もＳＯＦＴ合成もされることが無いセルに、より低い優先度を割り当てるステップ；およびトラフィックチャネルにおいて送信された信号の電力を示す品質値およびセルに割り当てた優先度に基づき、複数の候補セルからＮ個のセルを選択するステップを含む。
【００２９】
幾つかの実施形態では、トラフィックチャネルにおいて送信された受信信号がトラフィックチャネルにおいて送信された他のセルの信号とＲＡＫＥ合成しうるセルに、より高い優先度を割り当てるステップには、セルのトラフィックチャネルにおいて送信された信号の電力を示す品質値を調整するステップを含む。
【００３０】
幾つかの実施形態では、トラフィックチャネルにおいて送信された受信信号がトラフィックチャネルにおいて送信された他のセルの信号とＲＡＫＥ合成もＳＯＦＴ合成もされることが無いセルに、より低い優先度を割り当てるステップには、セルのトラフィックチャネルにおいて送信された信号の電力を示す品質値を調整するステップを含む。
【発明を実施するための最良の形態】
【００３１】
本願は、２００５年４月１４日出願の米国特許仮出願６０／６７１，０９９号の優先権を主張し、これを引用することによって、その内容をここに合体する。
【００３２】
本明細書で使用する場合、用語”備える”および”備えている”は記述する特徴、数字、工程または構成要素の存在を明記するものと受け取られるが、これらの用語の使用は、１以上の他の特徴、数字、工程、構成要素またはそのグループの存在または追加を排除しないことを強調すべきである。
【００３３】
本発明の目的および利点は図面と共に以下の詳細な記載を読むことにより理解されるであろう。
【００３４】
次に、本発明の種々の特徴を、図面を参照して記載することにするが、図面では同じ部分を同じ参照符号により特定する。
【００３５】
次に、本発明の種々の態様を、幾つかの例示的実施形態と関連して記載することにする。本発明の理解を容易にするために、本発明の多くの態様をコンピュータシステムの構成要素により実行する動作シーケンスにより記載する。それぞれの実施形態では、種々の動作を専用回路（例えば、専用機能を実行するように相互接続した個別ロジックゲート）により、１以上のプロセッサにより実行するプログラム命令により、または両者の組み合わせにより実行することができよう。さらに加えて、本発明を固体メモリ、磁気ディスク、光ディスクまたはプロセッサに本明細書に記載する技術を実行させるであろうコンピュータ命令の適するセットを含む搬送波（無線周波数、オーディオ周波数または光周波数搬送波など）などの任意の形式のコンピュータによる可読媒体において完全に実施するものと考えることができる。従って、本発明の種々の態様を多くの異なる形式において実施することができ、全てのこのような形式は本発明の範囲内にあると考えられる。本発明の種々の態様のそれぞれに対する任意のこのような形式の実施形態を、本明細書では記載する動作を実行するように”構成されたロジック”、またはこれに代わって記載する動作を実行する”ロジック”として参照することができる。
【００３６】
前述したように、ＭＢＭＳアプリケーションデータを受信する場合、使用するセルを選択するメカニズムがあることが望ましい。本発明の１態様では、ＭＢＭＳに対するセル選択はＭＢＭＳアプリケーションデータを搬送するチャネルの品質に基づく。この品質を判断する幾つかの技術を記載する。
【００３７】
別の態様では、セル選択は、候補セルからの信号を選択したとき適用することができる合成方法のタイプに基づく。
【００３８】
次に、これらおよびその他の態様を以下の説明においてさらに詳しく記載することにする。
【００３９】
ＷＣＤＭＡリリース９９（”Ｒｅｌ９９”）では、Ｐ−ＣＰＩＣＨにおける受信信号符号電力を総受信信号電力により除した（Ｅｃ／Ｎ０）を比較することにより、個々のセルの強度を判断する。とはいえ、種々のセルがＣＰＩＣＨに対してＭＴＣＨの電力を様々に相殺しうるので、ＭＢＭＳの受信に使用するセルの選択の品質計測基準として、これを直ちに使用することはできない。従って、ＭＢＭＳアプリケーションデータを搬送するチャネル品質をさらに正確に示すようにＲｅｌ９９のＥｃ／Ｎ０推定を調整するために、ＭＴＣＨとＣＰＩＣＨとの間の電力オフセットを見出す必要がある。
【００４０】
電力オフセットを推定するのに、幾つかの異なる技術；計算を含むもの、およびセルの送信ステップからの信号通知を含む別のもの、が可能である。次に、これらをさらに詳細に記載する。
【００４１】
まず、説明では電力オフセットの計算に焦点を当てることにする。ある技術はＣＰＩＣＨおよびＭＴＣＨ双方の電力を推定し、次いで２つのチャネル電力間の差としてオフセットを計算するステップを含む。これら２つのチャネル間の電力オフセットは固定であると考えることができ、従ってＣＰＩＣＨの受信電力レベルが変化する場合に、オフセットを後に使用することができる。
【００４２】
欧州特許出願番号０３３８８０４６．９（国際出願番号ＰＣＴ／ＥＰ２００４／００４９４６）では、ＲＡＫＥ受信機における経路（パス）探索器の一部としてＣＰＩＣＨの受信電力レベルの推定を記載している。本発明の態様では、本明細書に記載する技術は、またＭＴＣＨの電力レベルを推定するようにすることもできる。特に、本明細書は、デジタル無線通信システムにおいて時間が変化するにつれフェージングする無線チャネルにおけるマルチパス成分を検出する方法を記載するが、デジタル無線通信システムでは、チャネルを介した送信信号の個々のマルチパス成分を、可能な遅延値の範囲内における個別の遅延を伴って受信する。本方法は、幾つかの各個別遅延値の大きさを示す遅延プロファイルを繰り返し計算するステップ、探索窓における新規マルチパス成分を繰り返し探索するステップ、および少なくとも１つの以前に計算した遅延プロファイルに基づき探索窓を位置決めするステップを含む。探索窓の位置決めは、少なくとも断続的に探索窓より広い遅延値の範囲に対して計算した遅延プロファイルに基づく。このようにして、本方法は、受信機の他の部分にパスを報告するのに使用するパス探索窓外のマルチパス成分を検出する方法を提供する。
【００４３】
ＭＢＭＳにおいて、ＭＴＣＨはパイロットシンボルを伴うことなくＳ−ＣＣＰＣＨにおいて送信されるので、受信機は送信されたシンボルに関する予備知識を持たない。とはいえ、コヒーレント累積がシンボル間で行われなければ、データシンボルに関するパス探索器を使用して、送信ＭＴＣＨ電力をなお推定することができる。即ち、パス探索器はスクランブル符号およびチャネライゼーション符号を適用し、シンボル電力を得るために全シンボルに亘って結果を合算する。幾つかのシンボルについてこれを行い、次いでシンボル電力値を平均すると、物理チャネルにおける平均送信電力を生じる。非コヒーレント累積を使用する既知のパス探索技術の任意の幾つかを使用することができる。国際公開番号ＷＯ２００４／１１２２６９Ａ１号に記載する技術は１つの例である。
【００４４】
受信信号の振幅情報のみを使用して電力オフセットを推定する別の技術を欧州特許出願番号１４８０３５０に示し、これを参照してここに本明細書に組み込む。より詳細には、チャネルのそれぞれを推定し、次いでチャネル推定の１つを乗算する場合に、他のチャネル推定の最良の近似と考えられるスケールファクタ（即ち、電力オフセット）を判断することにより、電力オフセットを判断する。このような実施形態では、パイロットチャネル推定は、パイロットチャネルにおける電力を示す品質の計測基準であることが理解されるであろう。
【００４５】
幾つかのＭＴＣＨ符号は、不連続送信（ＤＴＸ）即ち送信されないことがありえ推定の品質を劣化させうることに注意すべきである。この影響を緩和するために、余り頻繁ではないが、各サンプルがより多くのデータに頼るよりむしろ、より短い時間量に対してより頻繁に計測サンプルをスケジューリングすべきである。
【００４６】
各セルからのＳ−ＣＣＰＣＨの、受信信号符号電力を総受信信号電力により除した（Ｅｃ／Ｎ０）を判断するさらに別の可能性が存在する、即ちセルが、１）ＭＴＣＨを搬送するＳ−ＣＣＰＣＨとＰ−ＣＰＩＣＨとの間で使用する電力オフセット、２）受信機の”自身”の電力オフセット比（即ち、ＭＴＣＨを搬送するＳ−ＣＣＰＣＨとＰ−ＣＰＩＣＨとの間の電力オフセット）と１以上の他のセルのＰ−ＣＰＩＣＨに対するＭＴＣＨの電力の電力オフセット比との間の比をシグナリングする。２）に関して、シグナリング情報をデシベルで明記すれば、その場合電力比間の差が比の代わりに使用されよう。等価な情報を他の形式でシグナリングすることもできる。このシグナリングを利用する実施形態では、受信機に電力オフセットを明示的に通知する故、上述したような電力オフセットをＵＥにおいて推定する必要はない。例えば、ＭＣＣＨにおいてシグナリングすることができる情報の通信には、４ビットで十分であろうことが提案されている（１ｄＢステップの大きさ；ダイナミックレンジ１６ｄＢ）。
【００４７】
ＭＴＣＨを搬送するＳ−ＣＣＰＣＨとＰ−ＣＰＩＣＨとの間の電力オフセットを一度推定してしまうと、受信機が行うであろうセル選択には、幾つか代替案が可能である。例えば、受信信号強度に従い、（例えば、リストで）セルを順序付けし、最良のものを選択することができる。別の代替案では、受信したＳ−ＣＣＰＣＨのＳＩＲに従いセルを順序付けすることができる。さらに別の代替案では、ＳＩＲの合成に基づき、セルを順序付けすることができ、その合成方法は所与の無線リンクに対して可能である。
【００４８】
例えば、ＳＯＦＴ合成の前にＲＡＫＥ合成に優先度を与える規則を規定することができ、選択合成に最低の優先度を与える。このような優先度付けのベースは、ＲＡＫＥ合成が３つの方法の中で最も低複雑であり最良の性能を示すが、ＳＯＦＴ合成は選択合成より良好な性能を示す。この優先度付けを実装する１つの技術は、セルに可能な合成方法のタイプに基づき、セルの優先度レベルをそれぞれ上下いずれかに上げ下げするために、セルのＳＩＲをまず恐らくは調整した後に、最良の（恐らく調整した）ＳＩＲを有するセルを選択することによる。例えば、リストにおける他の無線リンクとＲＡＫＥ合成しうるセルのＳＩＲを、第１の所定量であるＸ１（ｄＢ）だけ増加させるが、ＳＯＦＴ合成しえないか、またはするはずがないセルのＳＩＲを、第２の所定量であるＸ２（ｄＢ）だけ低下させる。例えば、Ｘ１の値は０．５≦Ｘ１≦１．５の範囲から選択され、Ｘ１＝１ｄＢが好ましい値である。Ｘ２の値は０．５≦Ｘ２≦３の範囲から選択され、Ｘ２＝２ｄＢが好ましい値である。ＲＡＫＥ合成を実行することにより、個々の実施形態において達成することができる利得としてこれらの値を基準に置くのが有利であり、劣化量は選択合成を実行することができることとのみ関連する。
【００４９】
最大の調整ＳＩＲ値を有するＮ個のセルをＲＡＫＥ合成することができれば、その場合これらのセルから着信する信号に関して、ＲＡＫＥ合成を実行するであろう。一方、最良の調整ＳＩＲ値を有するＮセルがＳＯＦＴ合成すべきであるセルであれば、その場合ＳＯＦＴ合成を実行するであろう。
【００５０】
調整ＳＩＲ値の優先度付きリストが、最良の調整ＳＩＲ値を有するＮ個のセルがＳＯＦＴ合成することができないか、またはＳＯＦＴ合成すべきでないことを示せば、その場合Ｎ個のセルの選択の前に別の優先度付けを行う。この優先度付けを行うステップで、セルをＲＡＫＥ合成できれば、Ｘ１の調整を行うが、セルの選択合成のみを行うことができるだけであれば（即ちＸ２の調整を行わない）、劣化は生じない。この再優先付けリストを使用して、最良の再調整ＳＩＲ値を有するＮ個のセルのＲＡＫＥ合成を行うべきか、または選択合成を行うべきかを判断する。
【００５１】
例示的実施形態は、これらおよびその他の態様を説明するのに役立つであろう。図３Ａおよび図３Ｂは共に、個々のセルのＲＡＫＥ、ＳＯＦＴまたは選択合成を行うことができるかを最初に判断するために受信機において実行する例示的処理／ステップを示すフローチャートである。この実施形態で、各セルは２つのフラグに関連付けられる。”ＲＡＫＥ”フラグはセルを別のセルとＲＡＫＥ合成することができることを示し、”ＳＯＦＴ”フラグはセルを別のセルとＳＯＦＴ合成することができることを示す。ＲＡＫＥ合成することができる各セルに対して、各セルがＲＡＫＥ合成することができるセルのリストも保持する。同様に、ＳＯＦＴ合成することができる各セルに対して、各セルがＳＯＦＴ合成することができるセルのリストも保持する。いずれも設定されていない２つのフラグを有するセルは、他のセルとの選択合成の候補に過ぎない。
【００５２】
例示的実施形態では、各セルに対するこれらフラグの正しい設定の開始は、候補セルｉの選択により始まる（ステップ３０１）。この処理で、受信ＳＩＲ（または代替実施形態ではＥｃ／Ｎ０）の降順に、候補セルを選択するであろう。候補セルｉにＲＡＫＥフラグが既に設定されたいれば（判断ブロック３０３からの”ＹＥＳ”の経路）、次いで判断ブロック３０７に進むことによりその候補セルを飛ばすが、判断ブロック３０７では全ての可能な候補セルを考慮したかを判断する。考慮していなければ（判断ブロック３０７からの”ＮＯ”の経路）、処理はステップ３０１に戻って継続する。
【００５３】
候補セルｉにＲＡＫＥフラグが設定されていなければ（判断ブロック３０３からの”ＮＯ”の経路）、次いで最初および最後のパスのタイミングを、ＲＡＫＥフラグを設定していないセルのセットから選択した互に他のセルｉの最後および最初のパスのタイミングと比較する（ステップ３０５）。候補セルｉとセルｊとの間のＲＡＫＥ合成が可能であれば、次いでこれら２つのセルにＲＡＫＥフラグを設定する。セルの一方からの最初のパスと他方のセルからの最後のパスとの間の距離が、好ましくは１から３スロットの間であるように選択する数Ｔ１より短ければ、ＲＡＫＥ合成は可能と考えられる。
【００５４】
このステップに続いて、次に全ての可能な候補セルを考慮したかを判断する（判断ブロック３０７）。考慮していなければ（判断ブロック３０７からの”ＮＯ”の経路）、その場合処理はステップ３０１に戻って継続する。
【００５５】
全ての可能な候補セルを考慮していれば（判断ブロック３０７からの”ＹＥＳ”の経路）、次いで類似の処理を繰り返し、今度は個々のセルをＳＯＦＴ合成することができるかを判断する。次に図３Ｂを参照すると、これは候補セルｉを選択することにより始まる（ステップ３０９）。処理のこの部分で、受信ＳＩＲ（または代替実施形態ではＥｃ／Ｎ０）の降順に、候補セルを再び選択するであろう。候補セルｉがそのＳＯＦＴフラグを既に設定していれば（判断ブロック３１１からの”ＹＥＳ”の経路）、次いで判断ブロック３１５に進むことにより、候補セルｉを飛ばすが、判断ブロック３１５では全ての可能な候補セルを考慮したかを判断する。考慮していなければ（判断ブロック３１５からの”ＮＯ”の経路）、その場合処理はステップ３０９に戻って継続する。
【００５６】
候補セルｉがそのＳＯＦＴフラグを未だ設定していなければ（判断ブロック３１１からの”ＮＯ”の経路）、次いで最初および最後の経路のタイミングを、”ＳＯＦＴ”フラグを未だ設定していないセルのセットから選択した互に他のセルｊの最後および最初の経路のタイミングと比較する（ステップ３１３）。候補セルｉとセルｊとの間のＳＯＦＴ合成が可能であれば、次いでこれら２つのセルのＳＯＦＴフラグを設定する。セルの一方からの最初の経路と他方のセルからの最後の経路との間の距離が１ＴＴＩ＋１スロットの継続時間より短ければ、ＳＯＦＴ合成は可能と考えられる。
【００５７】
このステップに続いて、次に全ての可能な候補セルを考慮したかを判断する（判断ブロック３１５）。考慮していなければ（判断ブロック３１５からの”ＮＯ”の経路）、その場合処理はステップ３０９に戻って継続する。
【００５８】
全ての可能な候補セルを考慮していれば（判断ブロック３１５からの”ＹＥＳ”の経路）、その場合フラグの設定処理は完了する。
【００５９】
この処理の終了に際して、受信ＳＩＲ（または代替実施形態ではＥｃ／Ｎ０）の降順に、テーブルはリストしたセルを含み、各セルはセルがＲＡＫＥ合成および／またはＳＯＦＴ合成できるかの指示情報を持つ。２つのセル間のＲＡＫＥ合成が可能であれば、その場合ＳＯＦＴ合成も可能であるので、両フラグが設定された１以上のセルが可能である。
【００６０】
図４Ａおよび図４Ｂは共に、合成されるセルおよび実行される合成のタイプを判断するために受信機において実行する例示的処理／ステップを示すフローチャートである。ＲＡＫＥ合成に優先度を与えることが望ましく、ＲＡＫＥ合成を行う場合、受信データを表すのにより多くのビットを使用するので、ＲＡＫＥ合成はＳＯＦＴ合成よりより良好な性能を示す。典型的な受信機は２つのメモリを有するであろうが、１つ（ＲＡＫＥメモリと呼ぶ）は種々のセルからの合成パスを取り扱うためのものであり、他方（ＳＯＦＴシンボルメモリと呼ぶ）は復号化のためにＴＴＩを格納するためのものである。各シンボルに対して、ＳＯＦＴシンボルメモリはＲＡＫＥメモリより長い時間期間（ＳＯＦＴ合成に対して、ＲＡＫＥメモリの比較的短い間隔と比較したＴＴＩ＋１スロット）に関連する情報を格納する必要があるので、所与のメモリサイズに対して、ＳＯＦＴ符号メモリにおけるよりも、より多くのビット、例えばＳＯＦＴシンボルメモリにおける４ビットに対しＲＡＫＥメモリでは１６ビットをＲＡＫＥメモリでは情報の表現に割り当てることができ、ＳＯＦＴシンボルメモリにおけるよりもＲＡＫＥメモリではビット表現がさらに正確になる。
【００６１】
次に図４Ａを参照すると、まず各候補セルｉに対して、上述したまたはその他の技術のいずれかに従いＭＴＣＨを搬送するＳ−ＣＣＰＣＨのＳＩＲ（または代替実施形態ではＥｃ／Ｎ０）を決定する（ステップ４０１）。次いで各候補セルｉに対して、可能な合成方法のタイプに基づいて、対応するＳＩＲｉを上記のように調整する。この例示的実施形態では、これは候補セルの１つを特定するステップ（ステップ４０３）、および次いで候補セルの信号の他セルからの信号とのＲＡＫＥ合成が可能であるかを（ＲＡＫＥフラグに基づいて）判断するステップ（判断ブロック４０５）を含む。ＲＡＫＥ合成が可能であれば（判断ブロック４０５からの”ＹＥＳ”の経路）、次いで最初に決定したＳＩＲ値を所定量Ｘ１だけ増加させることにより、このセルに、より高い優先度を与える（ステップ４０７）。このステップに続き、処理は判断ブロック４１３に続き、ここで全ての候補セルからの信号の合成の可能性を考慮したかを判断する。していなければ（判断ブロック４１３からの”ＮＯ”の経路）、その場合処理はステップ４０３に戻り、別の候補セルをこの態様の分析対象として選択する。
【００６２】
判断ブロック４０５に戻り、ＲＡＫＥ合成操作において候補セルの信号を使用することが可能でなければ（判断ブロック４０５からの”ＮＯ”の経路）、次いで処理は判断ブロック４０９に続き、ここで候補セルの信号の他セルからの信号とのＳＯＦＴ合成が可能であるかを（ＳＯＦＴフラグに基づいて）判断する。可能であれば（判断ブロック４０９からの”ＹＥＳ”の経路）、その場合この例示的実施形態では、優先度の調整は行わない；代わりに処理は判断ブロック４１３に続き、ここで全ての候補セルからの信号の合成の可能性を考慮したかを判断する。していなければ（判断ブロック４１３からの”ＮＯ”の経路）、その場合処理はステップ４０３に戻り、別の候補セルをこの態様の分析対象として選択する。
【００６３】
候補セルの信号と他セルからの信号とのＳＯＦＴ合成が可能でなければ（判断ブロック４０９からの”ＮＯ”の経路）、その場合この候補セルの信号の選択合成のみが可能であろう。従って、最初に決定したＳＩＲ値を所定量Ｘ２だけ低下させることにより、このセルの優先度を実際上、下げる（ステップ４１１）。このステップに続いて、処理は判断ブロック４１３に続き、ここで全ての候補セルからの信号の合成の可能性を考慮したかを判断する。していなければ（判断ブロック４１３からの”ＮＯ”の経路）、その場合処理はステップ４０３に戻り、別の候補セルをこの態様の分析対象として選択する。
【００６４】
全ての候補セルからの信号の合成の可能性を考慮した後（判断ブロック４１３からの”ＹＥＳ”の経路）、最大の（恐らく調整した）ＳＩＲ値（または代替実施形態ではＥｃ／Ｎ０）を有するセルの中からあるＮ個を選択することにより（ステップ４１５）、処理は継続する（図４Ｂ参照）。選択した個々のセルにより、ＲＡＫＥ、ＳＯＦＴ、または選択合成を実行することにするかを判断するであろう。選択合成を実行しないのであれば（判断ブロック４１７からの”ＮＯ”の経路）、その場合選択したセルのＲＡＫＥおよびＳＯＦＴフラグにより示すように、信号の受信にはＲＡＫＥまたはＳＯＦＴ合成のいずれかを含むであろう。
【００６５】
選択合成を示せば（判断ブロック４１７からの”ＹＥＳ”の経路）、次いでＲＡＫＥ合成を行うべきセルに関して、より正確な判断を行うことができるように調整ＳＩＲ値（または代替実施形態ではＥｃ／Ｎ０）を有する別のセットを生成する。特に、恐らくＳＯＦＴ合成することができるであろうことを理由にセルを選択する可能性を排除することがこの点では望ましい。この例示的実施例では、これはＭＴＣＨを搬送するＳ−ＣＣＰＣＨのＳＩＲの決定を以上に記載したか、またはその他の技術のいずれかに従って行うステップを含む（または代わりにステップ４０１の後でＳＩＲ値を格納していれば、メモリから取り出して）（ステップ４２１）。次いで各候補セルｉに対して、各候補セルｉが１以上の他のセルとＲＡＫＥ合成することができることの是非に基づいて、対応するＳＩＲｉを調整する。この例示的実施例では、これは候補セルの１つを特定するステップ（ステップ４２３）、および次いで候補セルの信号の他セルからの信号とのＲＡＫＥ合成が可能であるかを（ＲＡＫＥフラグに基づいて）判断するステップを含む（判断ブロック４２５）。ＲＡＫＥ合成が可能であれば（判断ブロック４２５からの”ＹＥＳ”の経路）、次いで最初に決定したＳＩＲ値を所定量Ｘ１だけ増加させることにより、このセルに、より高い優先度を与える（ステップ４２７）。このステップに続き、処理は判断ブロック４２９に続き、ここで全ての候補セルからの信号の合成の可能性を考慮したかを判断する。していなければ（判断ブロック４２９からの”ＮＯ”の経路）、その場合処理はステップ４２３に戻り、別の候補セルをこの態様の分析対象として選択する。
【００６６】
判断ブロック４２５に戻り、ＲＡＫＥ合成操作において候補セルの信号を使用することが可能でなければ（判断ブロック４０５からの”ＮＯ”の経路）、その場合処理は判断ブロック４２９に続き、ここで全ての候補セルからの信号の合成の可能性を考慮したかを判断する。していなければ（判断ブロック４２９からの”ＮＯ”の経路）、その場合処理はステップ４２３に戻り、別の候補セルをこの態様の分析対象として選択する。
【００６７】
全ての候補セルからの信号の合成の可能性を考慮した後（判断ブロック４２９からの”ＹＥＳ”の経路）、最大の（恐らく調整した）ＳＩＲ値（または代替実施形態ではＥｃ／Ｎ０）を有するセルの中からあるＮ個を選択することにより（ステップ４３１）、処理は継続する。選択した個々のセルにより、ＲＡＫＥ、または選択合成を実行することにするかを判断するであろう（ＳＯＦＴ合成はここでは選択肢ではない）。
【００６８】
図４Ｂに示す処理のこれらの態様の代替として、図４Ｃに示すフローチャートなど、代替となるより簡単な手法を採用することができよう。図４Ｃでは、判断ブロック４１３からの”ＹＥＳ”の経路に従い、状況下で最良に可能なＲＡＫＥ、ＳＯＦＴおよび／または選択合成に対して、最良のＳＩＲ値（または代替実施形態ではＥｃ／Ｎ０）を有するＮ個のセルを選択する（４５１）。結果の改善を達成するのに適する種々のタイプの合成を使用することができるので、この手法は相当な柔軟性をもたらす。例えば、２つの信号をＲＡＫＥ合成すべきであり、このＲＡＫＥ合成信号を第３の信号とＳＯＦＴ合成すべきであることを判断できよう。ＳＯＦＴ合成処理から得られる信号および第４の信号（第４の信号自体はＲＡＫＥおよび／またはＳＯＦＴ合成の結果でありえよう）は、次いで選択合成処理への入力でありうる。
【００６９】
図５Ａは、本発明の種々の態様を実行する例示的受信機のブロック図である。受信機は、チャネルから信号を取り出し、その信号をフロントエンド受信機回路５０３に供給するアンテナ５０１を含む。フロントエンド受信機回路５０３は受信した無線信号をダウンコンバートおよびサンプリングによりデジタルベースバンド信号にして、デジタルベースバンド信号を次にコントローラ５０７に供給する。コントローラ５０７はこれらの信号を使用して、セレクタ５０９を制御する。セレクタ５０９はコントローラからの命令を実行して、トラフィックチャネルの受信中に選択することにするセルの信号およびこれらの信号に適用することにする合成の種類（即ち、ＲＡＫＥ、ＳＯＦＴまたは選択合成）を判断する。
【００７０】
セルの選択および合成に対する種々の可能性を稼動するために、さらに受信機は従来様式で動作する逆拡散器５１１を含む。逆拡散信号を、メモリ５１５（例えば、３スロット相当のデータを格納することができる１６ビットのメモリ）を含むＲＡＫＥ合成器５１３に供給する。ＲＡＫＥ合成器５１３の出力を、メモリ５１９（例えば、２ＴＴＩのデータを格納することができる４ビットのメモリ）を含むＳＯＦＴ合成器５１７に供給する。ＳＯＦＴ合成器５１７の出力を、巡回冗長検査ロジック５２３を含む復号化器５２１に供給する。
【００７１】
ＲＡＫＥ合成器５１３、ＳＯＦＴ合成器５１７および復号化器５２１のそれぞれは、セレクタ５０９の指示の下に動作する。従って、この装置の動作にとり重要な構成要素は、コントローラ５０７の内部で生じるものであることが理解されるであろう。
【００７２】
図５Ｂは、コントローラ５０７の例示的実施形態のブロック図である。この実施例では、種々の機能を実行するロジックを図示するように個別ブロックに区分している。他の実施形態では、１以上のプログラムコードセグメントを動作させる１つのプロセッサを使用することができることが理解されるであろう。図５Ｂに示す実施形態では、受信機信号をＣＰＩＣＨチャネル推定器５２５に供給し、推定器５２５はパイロットチャネルの推定を生成するのにパイロット信号を使用する。別のブロック、ＭＣＣＨロジック５２７は、ＭＣＣＨのタイミング情報を生成し、これを制御ロジック５３７に供給する。ＣＰＩＣＨとＭＴＣＨとの間の電力オフセットをネットワークによりシグナリングする実施形態では、ＭＣＣＨロジック５２７はまたこの情報を抽出し、それをＭＴＣＨチャネル推定器５２９に供給する（これが代替実施形態に存在しなくてもよいことを表すために、これを破線で示す）。ＭＴＣＨチャネル推定器５２９は電力オフセット値およびＣＰＩＣＨチャネル推定（ＣＰＩＣＨチャネル推定器５２５が供給する）を使用して、ＭＴＣＨのチャネル推定を生成する。ＭＴＣＨチャネル推定をＳＩＲまたはＥｃ／Ｎ０の電力計算ロジック５３３に供給し、ロジック５３３は、チャネル推定が、ＭＴＣＨに適するＳＩＲまたはＥｃ／Ｎ０値のいずれかを生成する電力の平方根を示すことを用いる。次いで生成値を優先度付け／選択ロジック５３５に供給し、ロジック５３５は図３Ａ、図３Ｂ、図４Ａおよび図４Ｃを参照して前述したものなどの方法を実行する。
【００７３】
優先度付け／選択ロジック５３５はその結果を制御ロジック５３７に出力し、ロジック５３７は以前に記載したようにセレクタ５０９を制御する信号を生成する。
【００７４】
以前に、ＣＰＩＣＨとＭＴＣＨとの間の電力オフセットをネットワークにより信号通知するであろう環境で、全ての実施形態が動作しているわけではないであろうことを述べた。これらの状況下では、ＭＴＣＨ対ＣＰＩＣＨ利得オフセット判断ロジック５３１を含む代替実施形態を有することが有益である。ＭＴＣＨ対ＣＰＩＣＨ利得オフセット判断ロジック５３１は、以上で参照した欧州特許公開番号１４８０３５０に記載されるものなどの技術を使用して、ＭＴＣＨとＣＰＩＣＨとの間の利得オフセットの推定を生成する。
【００７５】
以上で記載した実施形態は単に例示的であり、本発明を限定するものではないことが理解されるであろう。例えば幾つかの実施形態で、信号がＲＡＫＥ合成するはずがなく、ＳＯＦＴ合成することはできるセルは、ゼロより大きいが、Ｘ１より少ないある量だけ増加したそのＳＩＲを持ちうる。これらの代替実施形態の幾つか（必ずしも全てではないが）では、全ての他のセルがより高い優先度の量を示すある量だけ増加したそのそれぞれのＳＩＲを有しているであろう故、信号が他のセルからの信号と選択合成のみができるセルは、そのＳＩＲを調整する必要が全然ないであろう。
【００７６】
本発明を個々の実施形態を参照して記載した。一方、以上に記載したこれら実施形態以外の特定の形式で本発明を実施することが可能であることは、当業者には既に明らかであろう。
【００７７】
例えば、図４Ｂに示す例示的実施形態では、選択合成を実行すべきであることを判断ブロック４１７において判断すれば、ＳＯＦＴ合成は考えられず、別の分析（新たに得たＳＩＲ値の調整を含む）を実行して、ＲＡＫＥまたは選択合成を実行すべきであるかを判断する。一方代替実施形態では、（ステップ４１５で説明するように）最良のＳＩＲを有するＮ個のセルを選択することができ、次いでＲＡＫＥ、ＳＯＦＴ、または選択合成から選択する最良であり得る合成を直ちに実行することができよう。
【００７８】
その他の代替形態では、以上に記載したものなどに類似の実施形態における選択のためにセルの優先度付けを行う基準として、受信信号強度値をＳＩＲ値の代わりに使用することができる。
【００７９】
以上のごとく、記載した実施形態は単に説明するものであり、決して限定するものと考えるべきではない。
【図面の簡単な説明】
【００８０】
【図１】通信システムを示す図である。
【図２】通信システムにおける受信機のブロック図である。
【図３Ａ】セルをＲＡＫＥ、ＳＯＦＴまたは選択合成を行うことができるかを最初に判断するために受信機が実行する例示的処理／ステップを示すフローチャートである。
【図３Ｂ】セルをＲＡＫＥ、ＳＯＦＴまたは選択合成を行うことができるかを最初に判断するために受信機が実行する例示的処理／ステップを示すフローチャートである。
【図４Ａ】合成されるセルおよび実行される合成のタイプを判断するために受信機が実行する例示的処理／ステップを示すフローチャートである。
【図４Ｂ】合成されるセルおよび実行される合成のタイプを判断するために受信機が実行する例示的処理／ステップを示すフローチャートである。
【図４Ｃ】合成されるセルおよび実行される合成のタイプを判断するために受信機が実行する例示的処理／ステップを示すフローチャートである。
【図５Ａ】本発明の種々の態様を実行する例示的受信機のブロック図である。
【図５Ｂ】例示的実施形態において使用するコントローラの例示的実施形態のブロック図である。
【図１】
2008536416.tif 000003
【図２】
2008536416.tif 000004
【図３Ａ】
2008536416.tif 000005
【図３Ｂ】
2008536416.tif 000006
【図４Ａ】
2008536416.tif 000007
【図４Ｂ】
2008536416.tif 000008
【図４Ｃ】
2008536416.tif 000009
【図５Ａ】
2008536416.tif 000010
【図５Ｂ】
2008536416.tif 000011
【国際調査報告】
2008536416.tif 000012
2008536416.tif 000013